(57)【要約】【課題】太陽電池モジュールの発電効率が高く、発生させた電力をファン以外の用途にも使用することが出来、建設費の低減や工期の短縮化を図ることが可能であり、下水道施設の景観も良好となり、更に適切に脱臭が行われ得る、下水道施設の覆蓋手段を提供すること。【解決手段】上面板の表面に太陽電池モジュールが設置された覆蓋１０ａ、覆蓋１０ｂ、覆蓋１０ｃが隣接して配置され、それらの上面板２が一の平面を形成してなるとともに、覆蓋１０ａ、覆蓋１０ｂ、覆蓋１０ｃによって、下方が開口した内部空間が形成されている下水道施設の覆蓋集合体１の提供による。【選択図】図１
2011078862.tif 000002
【特許請求の範囲】
【請求項１】
下水道施設の上方を覆うための、複数の覆蓋からなる覆蓋集合体であり、
覆蓋の長さ方向において所定の角度で傾斜し、表面に太陽電池モジュールが設置された上面板と、その上面板の上端から下方に伸びる背面板と、その背面板及び前記上面板の一方の側端部の間を繋ぐ１枚の側面板と、を有する覆蓋（Ａ）、及び、
覆蓋の長さ方向において所定の角度で傾斜し、表面に太陽電池モジュールが設置された上面板と、その上面板の上端から下方に伸びる背面板と、その背面板及び前記上面板の他方の側端部の間を繋ぐ１枚の側面板と、を有する覆蓋（Ｂ）、を有し、
前記覆蓋（Ａ）及び覆蓋（Ｂ）が隣接して配置され、
前記覆蓋（Ａ）の上面板と前記覆蓋（Ｂ）の上面板とが、一の平面を形成してなるとともに、
前記覆蓋（Ａ）の前記上面板、背面板、及び側面板と、前記覆蓋（Ｂ）の前記上面板、背面板、及び側面板と、で囲まれ、下方が開口した内部空間が形成されている下水道施設の覆蓋集合体。
【請求項２】
更に、
覆蓋の長さ方向において所定の角度で傾斜し、表面に太陽電池モジュールが設置された上面板と、その上面板の上端から下方に伸びる背面板と、を有する１以上の覆蓋（Ｃ）を有し、
前記覆蓋（Ａ）及び覆蓋（Ｂ）の間に前記覆蓋（Ｃ）を配し隣接して配置され、
前記覆蓋（Ａ）の上面板と前記覆蓋（Ｂ）の上面板と前記覆蓋（Ｃ）の上面板と、が一の平面を形成してなるとともに、
前記覆蓋（Ａ）の前記上面板、背面板、及び側面板と、前記覆蓋（Ｃ）の前記上面板及び背面板と、前記覆蓋（Ｂ）の前記上面板、背面板、及び側面板と、で囲まれ、下方が開口した内部空間が形成されている請求項１に記載の下水道施設の覆蓋集合体。
【請求項３】
隣接して配置される複数の覆蓋は、相互に接する上面板及び背面板の側端部において重なっており、その重なっている重なり部に、リブを有する請求項１又は２に記載の下水道施設の覆蓋集合体。
【請求項４】
前記覆蓋（Ａ）の側面板及び覆蓋（Ｂ）の側面板の少なくとも一方に、前記下水道施設に収容された下水から発生した臭気ガスを外部へ導くための、前記内部空間に通じる脱臭ダクトが設けられる請求項１〜３の何れか一項に記載の下水道施設の覆蓋集合体。
【請求項５】
前記脱臭ダクトに、下水道施設に収容された下水から発生した臭気ガスを採取するための臭気サンプリング口が設けられる請求項４に記載の下水道施設の覆蓋集合体。
【請求項６】
前記脱臭ダクトの側面に、前記内部空間に通じる開口部の開口面積を調節するための開口面積調節手段が設けられる請求項４又は５に記載の下水道施設の覆蓋集合体。
【請求項７】
前記内部空間に、悪臭を分解する微生物が固定された担体が配設されるとともに、その担体に散水するための配管が、前記上面板の表面であり前記太陽電池モジュールの裏面を通って設けられる請求項１〜３の何れか一項に記載の下水道施設の覆蓋集合体。
【請求項８】
前記背面板に、内部を点検するための、開閉可能な点検口が設けられる請求項１〜７の何れか一項に記載の下水道施設の覆蓋集合体。
【請求項９】
更に、前記上面板にも、内部を点検するための、開閉可能な点検口が設けられる請求項１〜８の何れか一項に記載の下水道施設の覆蓋集合体。
【請求項１０】
前記上面板の傾斜角度が、０゜より大きく３０゜以下である請求項１〜９の何れか一項に記載の下水道施設の覆蓋集合体。
【請求項１１】
前記背面板の外側面と水平な面とのなす角の角度が、９０〜１５０゜である請求項１〜１０の何れか一項に記載の下水道施設の覆蓋集合体。
【請求項１２】
前記内部空間に、前記内部空間の他の部分から仕切られた、前記太陽電池モジュールの配線を収容するための配線収容室が設けられる請求項１〜１１の何れか一項に記載の下水道施設の覆蓋集合体。
【請求項１３】
前記背面板に、外部から前記配線収容室内に通じる開閉可能な点検口が設けられる請求項１１に記載の下水道施設の覆蓋集合体。
【請求項１４】
前記内部空間に、ＬＥＤ照明が設けられる請求項１〜１３の何れか一項に記載の下水道施設の覆蓋集合体。
【請求項１５】
前記上面板の上部に、前記下水道施設の場内処理水を散布するための散水口が設けられる請求項１〜１２の何れか一項に記載の下水道施設の覆蓋集合体。
【請求項１６】
前記上面板の上部が、水平面で構成される請求項１〜１５の何れか一項に記載の下水道施設の覆蓋集合体。
【請求項１７】
前記上面板、背面板及び側面板の何れか１以上が、アーチ状を呈する請求項１〜１６の何れか一項に記載の下水道施設の覆蓋集合体。
【請求項１８】
前記太陽電池モジュールが、アモルファス太陽電池のモジュールである請求項１〜１７の何れか一項に記載の下水道施設の覆蓋集合体。
【請求項１９】
請求項４〜６の何れか一項に記載の覆蓋集合体の前記脱臭ダクト同士が連結されてなる下水道施設の覆蓋複集合体。
【請求項２０】
請求項１〜１８の何れか一項に記載の下水道施設の覆蓋集合体を、前記上面板における傾斜の下側が南東〜南〜南西の向きとなるように配置して使用する下水道施設の覆蓋集合体の使用方法。
【発明の詳細な説明】
【技術分野】
【０００１】
本発明は、下水道施設の上方を覆うために使用される覆蓋集合体とその使用方法に関する。
【背景技術】
【０００２】
最初沈殿池、反応槽、最終沈殿池等の下水道施設においては、悪臭の拡散を防止する目的で、その上方を覆蓋で覆うようにしている。その覆蓋は、通常、幅方向に複数枚、隣接させて配置された状態で、下水道施設を形成する躯体に架け渡され、それら覆蓋の数十枚に一箇所程度の割合で、脱臭ダクトが接続されている。その脱臭ダクトは、下水道施設に収容された下水（場内下水、原水）から発生した臭気ガスを覆蓋の外部へ導き、下水道施設の周辺に設置された脱臭装置に送るためのものである。
【０００３】
近年、このような下水道施設が、日射条件の良い場所に広い面積で設けられていることに着目し、上記の覆蓋の上面に太陽電池パネル等の太陽電池モジュールを設置して太陽光発電を行う試みがなされている（特許文献１を参照）。
【０００４】
しかしながら、従来の下水道施設、ないしは、そこで用いられる覆蓋においては、以下のような問題があった。
【０００５】
（Ａ）従来の脱臭ダクトは、覆蓋の中央部から上方に突き出し、更に所定の高さ（覆蓋の上空３〜５ｍ付近）から水平方向へ延長され、他の覆蓋の上方を通過して、脱臭装置へと向かよう配設されているため、覆蓋の上面に設置された太陽電池モジュールの一部が、脱臭ダクトによって日陰になる。通常、覆蓋の上面に設置される太陽電池モジュールは直列に接続されているため、その一部が日陰になると、日陰部分のセルは発電せず、他の部分のセルだけが発電して電流が流れることになるので、日陰部分のセルは抵抗となって発熱し、発電効率の低下を招く。
【０００６】
（Ｂ）脱臭ダクトが上記のように覆蓋の上方を通過するように配設するには、脱臭ダクトを支持するためのサポート（支持体）を多数造る必要が有り、建設費が高くなる。又、脱臭ダクトがこのように覆蓋の上方に配設されていると、処理場が雑然とし、景観が悪くなる。
【０００７】
（Ｃ）脱臭ダクトは、上記のように、隣接する覆蓋の数十枚に一枚程度の割合で接続されているため、この脱臭ダクトが接続された覆蓋の近傍では、脱臭ダクトに臭気が吸い込まれ易いが、脱臭ダクトが接続された覆蓋からの距離が遠くなるにつれて、脱臭ダクトに臭気が吸い込まれ難くなるため、全ての位置で均等な脱臭が出来ず、位置によって脱臭の程度に偏りが生じる。
【０００８】
（Ｄ）従来は、覆蓋とダクトとが個々の構造物であり、それらの製造や設置工事も各々について行う必要が有ったため、製造コストが高く、設置工事の工期も長くなる。
【０００９】
（Ｅ）特許文献２には、覆蓋から外部の脱臭装置（脱臭塔）まで脱臭ダクトを配設することなく、覆蓋自体に持たせた脱臭機能により脱臭可能としたものが開示されているが、この覆蓋においては、太陽電池モジュールで発生した電力の大部分が、覆蓋に取り付けられた排気ファンによって消費されてしまうため、電力を、他の用途には殆ど利用出来ない。
【先行技術文献】
【特許文献】
【００１０】
【特許文献１】特開２００５−３４０７０４号公報
【特許文献２】特開２００５−６６４０５号公報
【特許文献３】特許第２５８９０４０号公報
【特許文献４】特許第２５８９０４２号公報
【非特許文献】
【００１１】
【非特許文献１】太陽光発電導入ガイドブック、本編、２０００年改訂版、新エネルギー産業技術総合開発機構（ＮＥＤＯ）
【非特許文献２】太陽光発電システムの設計と施工、改訂２版、太陽光発電協会編、オーム社
【発明の概要】
【発明が解決しようとする課題】
【００１２】
本発明は、このような従来の事情に鑑みてなされたものであり、その課題は、上記（Ａ）〜（Ｅ）の問題を解消することである。具体的には、上面に設置したときの太陽電池モジュールの発電効率が高く、発生させた電力をファン以外の用途にも使用することが出来、建設費の低減や工期の短縮化を図ることが可能であり、下水道施設の景観も良好となり、更に適切に脱臭が行われ得る、下水道施設の覆蓋手段を提供することが本発明の課題である。
【００１３】
この課題を解決するため、本発明によれば、以下に示す下水道施設の覆蓋集合体及び覆蓋集合体の使用方法が提供される。
【課題を解決するための手段】
【００１４】
即ち、先ず、本発明によれば、下水道施設の上方を覆うための、複数の覆蓋からなる覆蓋集合体であり、覆蓋の長さ方向において所定の角度で傾斜し、表面に太陽電池モジュールが設置された上面板と、その上面板の上端から下方に伸びる背面板と、その背面板及び前記上面板の一方の側端部の間を繋ぐ１枚の側面板と、を有する覆蓋（Ａ）、及び、覆蓋の長さ方向において所定の角度で傾斜し、表面に太陽電池モジュールが設置された上面板と、その上面板の上端から下方に伸びる背面板と、その背面板及び前記上面板の他方の側端部の間を繋ぐ１枚の側面板と、を有する覆蓋（Ｂ）、を有し、覆蓋（Ａ）及び覆蓋（Ｂ）が隣接して配置され、覆蓋（Ａ）の上面板と覆蓋（Ｂ）の上面板とが、一の平面を形成してなるとともに、覆蓋（Ａ）の上面板、背面板、及び側面板と、覆蓋（Ｂ）の上面板、背面板、及び側面板と、で囲まれ、下方が開口した内部空間が形成されている下水道施設の覆蓋集合体が提供される。
【００１５】
本発明に係る下水道施設の覆蓋集合体（単に覆蓋集合体ともいう）においては、更に、覆蓋の長さ方向において所定の角度で傾斜し、表面に太陽電池モジュールが設置された上面板と、その上面板の上端から下方に伸びる背面板と、を有する１以上の覆蓋（Ｃ）を有し、覆蓋（Ａ）及び覆蓋（Ｂ）の間に覆蓋（Ｃ）を配し隣接して配置され、覆蓋（Ａ）の上面板と覆蓋（Ｂ）の上面板と覆蓋（Ｃ）の上面板と、が一の平面を形成してなるとともに、覆蓋（Ａ）の上面板、背面板、及び側面板と、覆蓋（Ｃ）の上面板及び背面板と、覆蓋（Ｂ）の上面板、背面板、及び側面板と、で囲まれ、下方が開口した内部空間が形成されていることが好ましい。
【００１６】
下水道施設とは、最初沈殿池、曝気槽、反応槽、最終沈殿池等のような、下水の各種処理、貯水等を行う槽（水槽）や池を有する施設であり、本発明に係る下水道施設の覆蓋集合体は、これらの上方を覆うための覆蓋集合体である。
【００１７】
本発明に係る下水道施設の覆蓋集合体は、複数の覆蓋からなるものであり、その複数の覆蓋として、覆蓋（Ａ）、覆蓋（Ｂ）に加えて、好ましくは覆蓋（Ｃ）を有する。覆蓋（Ａ）は、背面板及び上面板の一方の側端部の間を繋ぐ側面板を有し、背面板及び上面板の他方の（上記一方とは反対側の）側端部の間を繋ぐ側面板は有さない。覆蓋（Ｂ）は、背面板及び上面板の他方の（覆蓋（Ａ）における上記一方とは反対側の）側端部の間を繋ぐ側面板を有し、背面板及び上面板の一方の（上記他方とは反対側の）側端部の間を繋ぐ側面板は有さない。覆蓋（Ｃ）は、覆蓋（Ａ）と覆蓋（Ｂ）の間に配置されるものであり、全く側面板を有さない。即ち、本発明に係る下水道施設の覆蓋集合体では、側面板は、全体として２枚である。本発明に係る下水道施設の覆蓋集合体は、これら覆蓋（Ａ）、覆蓋（Ｂ）、覆蓋（Ｃ）を組み合せて、下水道施設の上方を覆うものであり、分割可能な覆蓋ということも出来る。
【００１８】
本発明に係る下水道施設の覆蓋集合体において、複数の覆蓋は、隣接して配置され、その結果、それぞれの上面板で一の平面が形成されることになる。従って、複数の覆蓋は、上面板の側端部を（背面板の側端部も）相互に接するように、隙間なく配置されることになる。そのように配置するために、複数の覆蓋は、上面板及び背面板の側端部において、一定の関係を有することが好ましい。例えば、相互に接合、嵌合、係合、噛合、捻合等がなされていてもよいが、施工を考慮すると、複数の覆蓋が以下のような関係を有することが望ましい。
【００１９】
即ち、本発明に係る下水道施設の覆蓋集合体においては、隣接して配置される複数の覆蓋は、相互に接する上面板及び背面板の側端部において重なっており、その重なっている重なり部に、リブを有することが好ましい。
【００２０】
本発明に係る下水道施設の覆蓋集合体は、下水道施設における既設の覆蓋を、効率よく発電する太陽電池モジュールが設置された覆蓋に置換するために、使用することが出来る。この場合において、覆蓋集合体を構成する個々の覆蓋の幅（覆蓋が相互に隣接する方向の覆蓋の寸法）は、既設の覆蓋に対応させることが出来る。但し、複数の覆蓋は（隙間なく）隣接して配置されるので、既設の覆蓋より、少し幅が広くなる。又、個々の覆蓋の幅は、使用する太陽電池モジュールの規格寸法に合わせることが出来る。この方が、既設の覆蓋に対応させ他寸法とするより、好ましい。個々の覆蓋に太陽電池モジュールを設置したものを、隣接して配置させることが出来るからである。本発明に係る下水道施設の覆蓋集合体では、複数の覆蓋が（それぞれの上面板で）一の平面を形成してなるものであるので、その施工にかかり、太陽電池モジュールを設置せずに下水道施設の上方を覆い、後から、一の平面を形成した上面板に太陽電池モジュールを設置することも可能であるが、このような手段は、太陽電池モジュールを設置した覆蓋を隣接して配置させる場合に比して、施工性、安全性に劣る。
【００２１】
本発明に係る下水道施設の覆蓋集合体においては、覆蓋（Ａ）の側面板及び覆蓋（Ｂ）の側面板の少なくとも一方に、下水道施設に収容された下水から発生した臭気ガスを外部へ導くための、内部空間に通じる脱臭ダクトが設けられることが好ましい。又は、本発明に係る下水道施設の覆蓋集合体においては、上記内部空間に、悪臭を分解する微生物が固定された担体が配設されるとともに、その担体に散水するための配管が、上面板の表面であり太陽電池モジュールの裏面を通って設けられることが好ましい。
【００２２】
本発明に係る下水道施設の覆蓋集合体において、脱臭ダクトが設けられる場合には、その脱臭ダクトに、下水道施設に収容された下水から発生した臭気ガスを採取するための臭気サンプリング口が設けられることが好ましい。又、その脱臭ダクトの側面に、内部空間に通じる開口部の開口面積を調節するための開口面積調節手段が設けられることが好ましい。
【００２３】
本発明に係る下水道施設の覆蓋集合体においては、背面板に、（覆蓋集合体の）内部を点検するための、開閉可能な点検口が設けられることが好ましい。
【００２４】
覆蓋集合体の背面板（上面板、側面板）とは、覆蓋集合体を構成する覆蓋の背面板（上面板、側面板）を意味する。覆蓋集合体は複数の覆蓋で構成されるから、覆蓋集合体の背面板（上面板、側面板）は複数存在することになる。本明細書において、覆蓋集合体の背面板（上面板、側面板）というときは、何れか１以上の背面板（上面板、側面板）を指すものとする。
【００２５】
本発明に係る下水道施設の覆蓋集合体においては、更に、上面板にも、（覆蓋集合体の）内部を点検するための、開閉可能な点検口が設けられることが好ましい。
【００２６】
本発明に係る下水道施設の覆蓋集合体においては、上面板の傾斜角度が、０゜より大きく３０゜以下であることが好ましい。この上面板の傾斜角度は、１０〜３０゜であることがより好ましく、３０゜であることが特に好ましい。
【００２７】
本発明に係る下水道施設の覆蓋集合体においては、背面板の外側面と水平な面とのなす角の角度が、９０〜１５０゜であることが好ましい。背面板の外側面と水平な面とのなす角の角度は、１２０〜１３５゜であることがより好ましい。
【００２８】
本発明に係る下水道施設の覆蓋集合体においては、内部空間に、内部空間の他の部分から仕切られた、太陽電池モジュールの配線を収容するための配線収容室が設けられることが好ましい。この場合において、背面板に、（覆蓋集合体の）外部から配線収容室内に通じる開閉可能な点検口が設けられることが好ましい。
【００２９】
本発明に係る下水道施設の覆蓋集合体においては、内部空間に、ＬＥＤ照明が設けられることが好ましい。
【００３０】
本発明に係る下水道施設の覆蓋集合体においては、上面板の上部に、下水道施設の場内処理水を散布するための散水口が設けられることが好ましい。
【００３１】
本発明に係る下水道施設の覆蓋集合体においては、上面板の上部が、水平面で構成されることが好ましい。本明細書において、上面板のうち水平面で構成される部分を水平面部といい、上記好ましい傾斜角度で傾斜している部分を傾斜面部という。
【００３２】
本発明に係る下水道施設の覆蓋集合体においては、上面板、背面板及び側面板の何れか１以上が、アーチ状を呈することが好ましい。
【００３３】
本発明に係る下水道施設の覆蓋集合体においては、太陽電池モジュールが、アモルファス太陽電池のモジュールであることが好ましい。即ち、太陽電池が、アモルファス太陽電池であることが好ましい。
【００３４】
次に、本発明によれば、上記した脱臭ダクトが設けられる覆蓋集合体の脱臭ダクト同士が連結されてなる下水道施設の覆蓋複集合体が提供される。覆蓋複集合体は、複数の覆蓋集合体の脱臭ダクトが連結されたものである。
【００３５】
次に、本発明によれば、上記した何れかの下水道施設の覆蓋集合体を、（覆蓋の）上面板における傾斜の下側が南東〜南〜南西の向きとなるように配置して使用する下水道施設の覆蓋集合体の使用方法が提供される。
【発明の効果】
【００３６】
本発明に係る下水道施設の覆蓋集合体は、複数の覆蓋からなるものであり、その複数の覆蓋である覆蓋（Ａ）、覆蓋（Ｂ）、（好ましくは）覆蓋（Ｃ）は隣接して配置され、それらの上面板によって一の平面を形成するものであるので、下水道施設の面積を有効に利用し、太陽電池モジュールを設置可能な面積を大きくすることが出来る。そのため、面積比で発電効率が高い。本発明に係る下水道施設の覆蓋集合体では、覆蓋（Ａ）、覆蓋（Ｂ）、覆蓋（Ｃ）のそれぞれの間に脱臭ダクトは設けられないから、太陽電池モジュールを高密度に設置可能であり、従って、本発明に係る下水道施設の覆蓋集合体は、（太陽電池モジュール）高密度配置型覆蓋（集合体）ということが出来る。
【００３７】
本発明に係る下水道施設の覆蓋集合体は、複数の覆蓋を組み合せて１つの覆蓋（集合体）としたものということが出来、１つの覆蓋は軽量であり、取付（施工）が容易なので、工期短縮、建設費（特に人件費）低減を実現する。
【００３８】
本発明に係る下水道施設の覆蓋集合体は、（上面板の）表面に太陽電池モジュールを設置するものであるので、太陽電池モジュールで覆われた部分は再塗装の必要が無く、再塗装時の塗装面積が減少する。個々の覆蓋を、ガラス繊維強化樹脂（ＦＲＰ）によって形成すれば、十数年に一度程度の割合で再塗装等の補修作業が必要となるが、本発明に係る下水道施設の覆蓋集合体を用いれば、この負担が軽減する。
【００３９】
本発明に係る下水道施設の覆蓋集合体は、その好ましい態様において、隣接に配置される複数の覆蓋は、相互に接する上面板及び背面板の側端部において重なっており、その重なっている重なり部に、リブを有するので、施工し易く、且つ、（施工後に）堅牢である。
【００４０】
本発明に係る下水道施設の覆蓋集合体は、その好ましい態様において、全体として２枚存在する側面板の少なくとも一方に臭気ガスを外部へ導くための脱臭ダクトが設けられるか、又は、内部空間に悪臭を分解する微生物が固定された担体が配設される。前者の場合、脱臭処理は従来と同じように別の場所で集中的になされ、後者の場合、脱臭処理は覆蓋集合体内において（全体としてみれば分散して）行われ、脱臭ダクトとは不要である。後者は、即ち、生物脱臭装置を内蔵した覆蓋集合体ということが出来、単独で脱臭処理が可能な覆蓋（集合体）である。何れにしても、従来のように、上面板に設置された太陽電池モジュールに、脱臭ダクトによる日陰が出来ず、高い発電効率が得られる。
【００４１】
具体的には、従来、脱臭ダクトは、覆蓋の中央部から上方に突き出し、更に所定の高さ（覆蓋の上空３〜５ｍ付近）から水平方向へ延長され、覆蓋の上方を通過して、脱臭装置へと向かうため、覆蓋の上面に設置された太陽電池モジュールの一部が、脱臭ダクトによって日陰になり、発電効率の低下を招いていたが、本発明に係る下水道施設の覆蓋集合体の好ましい態様によれば、脱臭ダクトが側面板に設けられているか、又は、脱臭ダクトが存在しないため、太陽電池モジュールに脱臭ダクトによる日陰が出来ず、発電効率が向上する。
【００４２】
本発明に係る下水道施設の覆蓋集合体は、その好ましい態様において、側面板に脱臭ダクトを設けるか、又は脱臭ダクトをなくしているので、その主たる表面（上面板の表面）に太陽電池モジュールを設置可能となり、この点においても、下水道施設の面積を有効に利用し、太陽電池モジュールを設置可能な面積を増やすことが出来る。そのため、面積比で発電効率が高い。
【００４３】
本発明に係る下水道施設の覆蓋集合体は、その好ましい態様において、側面板に脱臭ダクトを設けるか、又は脱臭ダクトをなくしているので、従来のように、脱臭ダクトを覆蓋の上空３〜５ｍ付近まで引き上げる必要が無く、脱臭ダクトを上空に支持するためのサポート（支持体）を造る必要も無くなり、脱臭ダクトがある場合でも、その長さは従来より短くなる。
【００４４】
本発明に係る下水道施設の覆蓋集合体は、脱臭ダクトを設ける場合に、覆蓋（覆蓋（Ａ）、覆蓋（Ｂ））と脱臭ダクトとを一体的な構造物とすることが出来、そうであれば一体型形成も可能である。従来は、覆蓋と脱臭ダクトとが個々の構造物であり、それらの製造や設置工事も各々について行う必要があったが、このような手間は省ける。又、これらの結果、建設費が低減するとともに、処理場の景観も良くなる。
【００４５】
本発明に係る下水道施設の覆蓋集合体は、脱臭ダクトを設ける場合に、その脱臭ダクトは内部空間に連通しているため、そこから臭気ガスの吸い込みを行うことが出来、複数の覆蓋に覆われた下水道施設の全ての位置で偏りのない均等な脱臭が可能となる。又、脱臭ダクトを設けず、内部空間に担体を配設し、覆蓋単独で脱臭処理を可能とする場合には、その覆蓋集合体内で、偏りのない均等な脱臭が可能となる。
【００４６】
本発明に係る下水道施設の覆蓋集合体は、脱臭ダクトを設ける場合に、その脱臭ダクトに臭気サンプリング口が設けられるので、上記した臭気の測定等の維持管理を、現に、容易且つ安全に実施可能とする。
【００４７】
本発明に係る下水道施設の覆蓋集合体は、脱臭ダクトを設ける場合に、その脱臭ダクトが、覆蓋の上空ではなく、覆蓋の側面（板）という通路に近い、低い位置にあるので、脱臭ダクトが場内下水から発生した臭気ガスの臭気を測定するために臭気ガスを採取する臭気サンプリング口や、脱臭ダクトの内部に溜まった水を排除する水抜きのためのバルブ等を脱臭ダクトに設けることにより、臭気の測定や脱臭ダクトの水抜き作業等の維持管理を、作業者が通路から覆蓋の中央部まで行ったり、高所に登ったりすることなく、容易且つ安全に実施することが出来る。
【００４８】
本発明に係る下水道施設の覆蓋集合体は、脱臭ダクトを設ける場合に、その脱臭ダクトの側面に、上記内部空間に通じる開口部の開口面積を調節するための開口面積調節手段が設けられるので、後述の覆蓋複集合体を構成した場合に、各覆蓋集合体における臭気ガスの吸い込み均等化を図れる。
【００４９】
本発明に係る下水道施設の覆蓋集合体は、覆蓋集合体単独で脱臭処理を可能とした場合には、散水に使用した処理水は、最初沈殿池に戻す必要はなく、覆蓋している下水道施設（反応槽等）に放流すればよく、配管工事は不要である。
【００５０】
本発明に係る下水道施設の覆蓋集合体は、覆蓋集合体単独で脱臭処理を可能とした場合には、担体に散水するための配管が、上面板の表面であり上記太陽電池モジュールの裏面を通って設けられるので、この担体への散水に用いる処理水（下水処理された水であって配管を通る水）によって太陽電池モジュールを冷却することが出来、発電効率の低下を抑制することが出来る。
【００５１】
本発明に係る下水道施設の覆蓋集合体は、その好ましい態様において、上記背面板に覆蓋内部を点検するための開閉可能な点検口が設けられるので、作業者は楽な姿勢で内部の点検作業を行うことが可能になるとともに、作業者本人や作業者が上着のポケットに入れていた物が水中に落下することも防止出来る。又、作業者は点検口を上から覗き込む状態とはならないため、開閉扉を開けた際に点検口から上昇してきた蒸気によって作業者の眼鏡が曇ることがない。更に、点検の際に視線の角度が水面に対して浅くなるため、点検口から見渡せる水面の範囲が広くなり、水面全体に渡る点検が容易になる。後述するように、従来の覆蓋は、その上面が緩やかなアーチ状又は水平な平面状を呈しており、その上面に点検口が設けられていたため、内部を点検する際には、作業者は上体（上半身）を屈めて下方を覗き込むようなつらい姿勢となり、体に負担がかかるとともに、作業者が点検口から水中に落下してしまったり、上着のポケットに入れていた物（携帯電話、筆記具等）が屈んだ際に落下して、水中に沈んでしまったりするおそれがあった。又、点検口の開閉扉を開けた際に上昇してきた蒸気により作業者の眼鏡が曇ることもあった。更に、点検の際に視線の角度が水面に対し垂直に近い角度となるため、点検口から見渡せる水面の範囲が狭く、水面全体を点検し難いという問題もあった。本発明に係る下水道施設の覆蓋集合体におけるこの好ましい態様によれば、このような問題は生じない。
【００５２】
本発明に係る下水道施設の覆蓋集合体は、その好ましい態様において、更に、上面板にも覆蓋内部を点検するための開閉可能な点検口が設けられるので、効率よく点検を行うことが出来る。
【００５３】
本発明に係る下水道施設の覆蓋集合体は、その好ましい態様において、上面板の傾斜角度が、０゜より大きく３０゜以下であるので、太陽電池モジュール上に降った雨や雪が自然に流れ落ちて、太陽電池モジュール上に留まり難いため、太陽電池モジュール上の積雪等に太陽光を遮られて発電効率が低下したり、積雪の重量により覆蓋１が破損したりするのを防ぐことが出来る。更に、傾斜した上面板の表面に太陽電池モジュールが設置されていると、覆蓋を所定方向に設置した場合に、太陽電池モジュールに対する太陽光の入射角度が大きくなり、発電効率が向上する。
【００５４】
本発明に係る下水道施設の覆蓋集合体は、その好ましい態様において、背面板の外側面と水平な面とのなす角の角度が９０〜１５０゜であるので、背面板に点検口を設けた場合における、上記の効果が得られ易くなる。
【００５５】
本発明に係る下水道施設の覆蓋集合体は、その好ましい態様において、内部空間に、内部空間の他の部分から仕切られた、太陽電池モジュールの配線を収容するための配線収容室が設けられる。このように、内部空間の他の部分から仕切られた配線収容室に、太陽電池モジュールの配線を収容すれば、場内下水から発生した臭気ガスが腐食性のガスである場合であっても、配線を腐食性のガスから遮断して、配線の腐食劣化を防止することが出来る。
【００５６】
本発明に係る下水道施設の覆蓋集合体は、その好ましい態様において、背面板に、覆蓋の外部から上記配線収容室内に通じる開閉可能な点検口が設けられるので、配線収容室内の配線の保守点検や配線接続作業等が容易に行える。
【００５７】
本発明に係る下水道施設の覆蓋集合体は、その好ましい態様において、内部空間に、ＬＥＤ照明が設けられるので、それによって覆蓋集合体の内部が明るく照らされるため、視認性が向上し、点検に際して作業者が懐中電灯を持ち歩く必要がなくなる。従来は、覆蓋によって覆われた下水道施設の内部は暗いため、点検口から内部を点検する場合には、懐中電灯などで内部を照らす必要があったが、本発明に係る下水道施設の覆蓋集合体によれば、その必要はない。ＬＥＤ照明に供給する電力には、覆蓋集合体に設置された太陽電池モジュールで発生した電力を用いることが出来、そうしたとしても、ＬＥＤ照明は消費電力が少なく、又、点検時以外には消灯しておけばよいので、既述の引用文献２における排気ファンのように、太陽電池モジュールで発生した電力の大部分を消費してしまうことはなく、電力の他の用途（覆蓋の機能維持以外の用途）への有効利用が大きく制限されることはない。
【００５８】
本発明に係る下水道施設の覆蓋集合体は、その好ましい態様において、上面板の上部に、下水道施設の場内処理水を散布するための散水口が設けられるので、夏場の高温時には、ポンプ等によって吸い上げた場内処理水（水温は年間を通じて１５〜２０℃程度）を、この散水口から散布して、太陽電池モジュールを冷却し、温度上昇を抑制すれば、発電効率の低下を抑制することが出来る。一般に、太陽電池モジュールは温度が上昇するほど発電効率が低下するが、これを防止出来る。
【００５９】
本発明に係る下水道施設の覆蓋集合体は、その好ましい態様において、上面板の上部が、水平面で構成されるので、高さを抑えられる。よって、後述の覆蓋複集合体を構成した場合に、上面板に設置された太陽電池モジュールに、他の覆蓋集合体による日陰が出来難く、高い発電効率が得られる。
【００６０】
本発明に係る下水道施設の覆蓋集合体は、その好ましい態様において、上面板、背面板及び側面板の何れか１以上が、アーチ状を呈するので、強度に優れたものとなる。仮に人が乗っても壊れ難く、又、下水道施設側からの圧力（内圧）増加に対しても耐え得る。
【００６１】
本発明に係る下水道施設の覆蓋集合体は、その好ましい態様において、上記太陽電池モジュールが、アモルファス太陽電池のモジュールであるので、軽量で柔軟性に富み、搭載対象である上面板の態様に対する許容度が大きい。例えば上面板がアーチ状を呈していても、搭載可能であり、覆蓋全体としての軽量化にも資する。
【００６２】
本発明に係る覆蓋複集合体は、上記した本発明に係る下水道施設の覆蓋集合体の脱臭ダクト同士が連結されてなるものであるので、上記の本発明に係る下水道施設の覆蓋集合体が発現する効果を、同様に、（設備）全体として享受することが出来る。
【００６３】
本発明に係る覆蓋集合体の使用方法は、上記した何れかの下水道施設の覆蓋集合体を、覆蓋の上面板における傾斜の下側が南東〜南〜南西の向きとなるように配置して使用する。傾斜した上面板の表面に太陽電池モジュールが設置された覆蓋を、このような向きに配置すれば、太陽電池モジュールに対する太陽光の入射角度が大きくなり、高い発電効率が得られる。
【００６４】
上記使用方法に用いられる覆蓋集合体は、上面板の傾斜角度が、０゜より大きく３０゜以下であることが好ましく、１０〜３０゜あることがより好ましく、３０゜であることが特に好ましい。傾斜角度がこのような範囲であれば、太陽電池モジュールに理想的な入射角度で太陽光が入射するようになり、より高い発電効率が得られる。
【図面の簡単な説明】
【００６５】
【図１】本発明に係る覆蓋集合体の一の実施形態を示す斜視図である。
【図２】図１に示される覆蓋集合体において断面ＡＡで切断した断面を表す断面図である。
【図３】図１に示される覆蓋集合体における右側の側面を表す側面図である。
【図４】図１に示される覆蓋集合体において断面ＢＢで切断した断面（１つの覆蓋の長手方向に沿って切断した断面）を表す断面図である。
【図５】背面板に加え上面板にも点検口が設けられた覆蓋集合体の実施形態を示す図であり、１つの覆蓋の長手方向に沿って切断した断面図である。
【図６】複数の下水道施設が並設されている状態を示す平面図である。
【図７】１つの覆蓋の背面板にだけ点検口が設けられている場合における点検作業時の移動ルートを示す平面図である。
【図８】１つの覆蓋の背面板に加え上面板にも点検口が設けられている場合における点検作業時の移動ルートを示す平面図である。
【図９】内部空間の上部に配線収容室が設けられた覆蓋集合体の実施形態を示す図であり、１つの覆蓋の長手方向に沿って切断した断面図である。
【図１０】上面板に散水口が設けられた覆蓋集合体の実施形態を示す斜視図である。
【図１１】本発明に係る覆蓋集合体における脱臭ダクトの一の実施形態を示す説明図（透視図）である。
【図１２】本発明に係る覆蓋集合体の一の実施形態を示す背面図である。
【図１３】従来の覆蓋集合体における点検口の配置を示す断面図である。
【図１４】従来の覆蓋集合体における点検口の配置を示す断面図である。
【図１５】本発明に係る覆蓋集合体の他の実施形態を示す側面図である。
【図１６】本発明に係る覆蓋集合体の更に他の実施形態を示す側面図である。
【図１７】本発明に係る覆蓋集合体の更に他の実施形態を示す図であり、１つの覆蓋の長手方向に沿って切断した断面図である。
【図１８】本発明に係る覆蓋集合体の更に他の実施形態を示す平面図である。
【発明を実施するための形態】
【００６６】
以下、本発明の実施の形態について、適宜、図面を参酌しながら説明するが、本発明はこれらに限定されて解釈されるべきものではなく、本発明の範囲を逸脱しない限りにおいて、当業者の知識に基づいて、種々の変更、修正、改良を加え得るものである。例えば、図面は、好適な本発明の実施の形態を表すものであるが、本発明は図面に表される態様や図面に示される情報により制限されない。本発明を実施し又は検証する上では、本明細書中に記述されたものと同様の手段若しくは均等な手段が適用され得るが、好適な手段は以下に記述される手段である。
【００６７】
図１、図２、図３、及び図４に示される覆蓋集合体１は、下水道施設において、（例えば）反応槽の上方を覆うためのものである。覆蓋集合体１は、複数の覆蓋からなるものであり、１つの覆蓋１０ａ（覆蓋（Ａ）相当）、３つの覆蓋１０ｃ（覆蓋（Ｃ）相当）、１つの覆蓋１０ｂ（覆蓋（Ｂ）相当）を有する。
【００６８】
覆蓋１０ａは、その長さ方向（図１中における断面ＢＢの方向）において所定の角度で傾斜し、表面に太陽電池モジュール６が設置された上面板２と、その上面板２の上端から下方に伸びる背面板３と、その背面板３及び上面板２の一方の側端部（図１における右側の側端部）の間を繋ぐ１枚の側面板４と、を有する。覆蓋１０ｂは、その長さ方向において所定の角度で傾斜し、表面に太陽電池モジュール６が設置された上面板２と、その上面板２の上端から下方に伸びる背面板３と、その背面板３及び上面板２の一方の側端部（図１における左側の側端部）の間を繋ぐ１枚の側面板４と、を有する。覆蓋１０ｃは、各々、その長さ方向において所定の角度で傾斜し、表面に太陽電池モジュール６が設置された上面板２と、その上面板２の上端から下方に伸びる背面板３と、を有する。覆蓋１０ｃは、側面板を有さない。
【００６９】
覆蓋集合体１では、覆蓋１０ａ及び覆蓋１０ｂの間に３つの覆蓋１０ｃを配して、覆蓋１０ａ、覆蓋１０ｃ、覆蓋１０ｃ、覆蓋１０ｃ、覆蓋１０ｂの順に、隣接して配置され、覆蓋１０ａの上面板２と覆蓋１０ｃの上面板２と覆蓋１０ｂの上面板２と、が一の平面を形成している。そして、覆蓋１０ａの上面板２、背面板３、及び側面板４と、覆蓋１０ｃの上面板２及び背面板３と、覆蓋１０ｂの上面板２、背面板３、及び側面板４と、で囲まれた内部空間７が形成されている。内部空間７は下方に開口している（図２を参照）。
【００７０】
覆蓋集合体１において、隣接に配置される覆蓋１０ａと覆蓋１０ｃは、相互に接する上面板２の側端部において重なっており、その重なっている重なり部４２（図２における丸囲い部分）に、リブ４１を有する。図示しないが、隣接に配置される覆蓋１０ａと覆蓋１０ｃは、相互に接する背面板３の側端部においても重なっており、その重なっている重なり部に、リブを有する。これらの態様は、隣接に配置される覆蓋１０ｂと覆蓋１０ｃ、隣接に配置される覆蓋１０ｃと覆蓋１０ｃ、においても同様に存在する。
【００７１】
覆蓋集合体１において、（覆蓋１０ａ、覆蓋１０ｂ、覆蓋１０ｃを形成する全ての）上面板２は、覆蓋集合体１の短手方向において所定の角度で傾斜し、その表面に太陽電池モジュール６が設置される。具体的な上面板２の上面板傾斜角度θ１は、０゜より大きく３０゜以下である（図３を参照）。
【００７２】
（覆蓋１０ａ、覆蓋１０ｂ、覆蓋１０ｃを形成する全ての）背面板３は、上面板２の上端から下方に向かって伸びるよう形成されている。ここで、下方とは、鉛直方向だけでなく斜め下方も含む。背面板３の外側面と水平な面とのなす角の背面板傾斜角度θ２は、９０〜１５０゜である（図３を参照）。覆蓋集合体１には、この背面板３に開閉扉１２により開閉可能な点検口１１が（例えば１つ）設けられる（図４を参照）。この点検口１１は、覆蓋集合体１によって覆われた下水道施設の内部を点検するための開閉可能な開口である。
【００７３】
尚、図１３及び１４に示されるように、従来の覆蓋集合体４１は、その上面が緩やかなアーチ状又は水平な平面状を呈しており、その上面に点検口４２が設けられていた。
【００７４】
（覆蓋１０ａ、覆蓋１０ｂを形成するそれぞれの）側面板４は、上面板２と背面板３との側端部の間を繋ぐ部材であり、覆蓋集合体１の内側には、（覆蓋１０ａ、覆蓋１０ｂ、覆蓋１０ｃを形成する全ての）上面板２、背面板３及び側面板４によって囲まれた内部空間７が形成される。内部空間７は下方に（下水道施設に向けて）開口している。そして、覆蓋１０ａの側面板４には、下水道施設に収容された場内下水から発生した臭気ガスを覆蓋集合体１の外部へ導くための、内部空間７に通じる脱臭ダクト５が設けられている。（覆蓋１０ａ、覆蓋１０ｂ、覆蓋１０ｃを形成する）上面板２、背面板３及び側面板４の・BR>コ端部に設けられたフランジ８は、場内下水を収容する下水道施設の縁部に覆蓋集合体１を固定したり、隣接する覆蓋集合体１間を固定したりするのに有用である。
【００７５】
覆蓋集合体１において、図５に示されるように、内部を点検するための、開閉扉１４により開閉可能な点検口１３を、背面板３だけでなく、上面板２の太陽電池モジュール６を設置していない部分にも追加的に設けることが出来る。図６に示されるように、複数の下水道施設３０、３１が比較的短い間隔で並設されており、これらの上方を覆う覆蓋集合体１の向きが全て同じである場合において、覆蓋集合体１の背面板３にだけ点検口１１が設けられているときは、下水道施設３０、３１間の通路３２の左右何れか一方にしか点検口１１がないため、点検を行う作業者は、図７の矢印３３に示される移動ルートで、長距離を移動しながら全体の点検を行う必要がある。これに対し、図８のように、覆蓋集合体１の背面板３だけでなく、上面板２にも点検口１３が設けられているときは、下水道施設３０、３１間の通路３２の左右両側に点検口１１、１３があるため、ほぼ同じ位置で通路３２を挟んだ左右両側の覆蓋集合体１の内部を点検出来、矢印３４に示される移動ルートで、短い移動距離にて全体の点検作業を行うことが出来る。尚、このような点検口は、隣接配置されている全ての覆蓋集合体に設ける必要はなく、通常は、数〜十数に１つ程度の割合で、点検口が設けられた覆蓋集合体が配置されていればよい。即ち、点検口が設けられない覆蓋集合体があってもよい。
【００７６】
側面板４は、上面板２と背面板３との側端部の間を繋ぐ部材であり、覆蓋集合体１では、覆蓋１０ａの側面板４に、下水道施設に収容された場内下水から発生した臭気ガスを覆蓋集合体１の外部へ導くための、内部空間７に通じる脱臭ダクト５が設けられている。
【００７７】
覆蓋集合体１では、図１０に示されるように、覆蓋１０ｂの側面板４に、追加的に、内部空間７に通じる脱臭ダクト５を設けてもよい。覆蓋集合体１では、これら内部空間７に連通した脱臭ダクト５が、覆蓋集合体１の上空ではなく、覆蓋集合体１の側面（側面板４）という通路に近い低い位置にあり、場内下水から発生した臭気ガスの臭気を測定するために臭気ガスを採取する臭気サンプリング口１８や、脱臭ダクトの内部に溜まった水を排除する水抜きのためのバルブ等が、脱臭ダクト５に設けられる（図１０を参照）。覆蓋集合体１においては、脱臭ダクト５は覆蓋集合体１の一部とすることが出来、その場合、一体型形成が可能である。
【００７８】
覆蓋集合体１においては、図９に示されるように、上面板２、背面板３及び側面板４で囲まれた内部空間７に、内部空間７の他の部分から仕切られた、太陽電池モジュール６の配線を収容するための配線収容室１７を設けることが出来る。そして、このような配線収容室１７を設ける場合には、背面板３に、覆蓋集合体１の外部から配線収容室１７内に通じる、開閉扉１６（図１２を参照）により開閉可能な点検口１５を設けることが好ましい。
【００７９】
覆蓋集合体１においては、図９に示されるように、上面板２、背面板３及び側面板４で囲まれた内部空間７に、ＬＥＤ照明２０を設けることが出来る。このＬＥＤ照明２０に供給する電力には、覆蓋集合体１に設置された太陽電池モジュール６で発生した電力を用いることが可能である。
【００８０】
覆蓋集合体１においては、図１０に示されるように、上面板２の上部に、下水道施設の場内処理水を散布するための散水口１９を設けることが出来る。ポンプ等によって吸い上げた場内処理水（水温は年間を通じて１５〜２０℃程度）を、この散水口１９から散布して、太陽電池モジュール６を冷却し、温度上昇を抑制可能である。
【００８１】
覆蓋集合体１において、脱臭ダクト５は、覆蓋集合体を構成する２枚の側面板４を貫通するパイプ状のものであり、図１１に示されるように、その側面の一部に覆蓋集合体１の内部空間７に通じる開口部２１を形成することが出来る。そして、複数の覆蓋集合体１の脱臭ダクト５同士を連結して、覆蓋複集合体を形成する場合に、それぞれの覆蓋集合体における臭気ガスの吸い込みを均等化するため、この開口部２１には、その開口面積を微調節するための開口面積調節手段が設けられていることが好ましい。図１１に示される態様では、開口面積調節手段として、開口部２１にスライド可能な扉２２が設けられており、この扉２２を矢印方向にスライドさせることで、開口部２１の開口面積を調節することが出来る。扉２２には調節を容易に行えるよう脱臭ダクト５の径方向に突出した調整つまみ２３が一体的に設けられている。開口部２１の開口面積の調整は、例えば、背面板３に設けた点検口から調整つまみ２３を把持出来るような治具を内部空間７に挿入し、その治具にて調整つまみ２３を把持して扉２２をスライドさせることにより行うことが出来る。
【００８２】
図１５は、図３に対応する側面図である。図１５に示される覆蓋集合体１０１では、（個々の覆蓋において、）上面板２の上部に、水平面部２ａを有し、上面板２の上部が水平面で構成される。そして、その水平面部２ａには、内部空間を明るくする採光窓２７が設けられる。又、分割された太陽電池モジュール６の一部は、水平面部２ａにも配設される。これら以外の構造は、覆蓋集合体１と共通する。
【００８３】
図１６は、図３に対応する側面図である。図１６に示される覆蓋集合体１０２では、（個々の覆蓋において、）上面板２がアーチ状を呈する点が異なる。そして、そのアーチ状の上面板２には、その形状に沿って、例えばアモルファス太陽電池で構成される太陽電池モジュール６が配設される。これら以外の構造は、覆蓋集合体１と共通する。
【００８４】
図１７は、図４に対応する断面図である。図１７に示される覆蓋集合体１１０では、覆蓋集合体１０１と同様に、（個々の覆蓋において、）上面板２の上部に、水平面部２ａを有し、上面板２の上部が水平面で構成される、その水平面部２ａには、内部空間を明るくする採光窓２７が設けられ、分割された太陽電池モジュール６の一部は、水平面部２ａにも配設される。そして、内部空間７には生物脱臭装置が備わり、側面板４には脱臭ダクト５が設けられていない。これら以外の構造は、覆蓋集合体１と共通する。
【００８５】
覆蓋集合体１１０では、水平面部２ａを含む上面板２、背面板３及び側面板４で囲まれて下方が開口した内部空間７に、悪臭を分解する微生物が固定された担体３０が配設されるとともに、その担体３０に散水するための配管２９が、上面板２の表面であり太陽電池モジュール６の裏面を通って設けられる。これらが生物脱臭装置の主たる構成要素である。排気のための排気口２８は、背面板３に設けられる。散水のための水としては、場内処理水を使用することが出来、その水は、弁３１で流量調節ないし流量制御される。
【００８６】
図１８に示されるように、１つの覆蓋集合体１１０に、２つの（複数の）担体３０を配設することが出来る、処理水の供給配管３２は、共通で使用することが出来る（図１８では弁３１は省略）。担体３０を通過させた水（散水）は、それぞれ、そのまま下水道施設に（下方に）放流すればよい。図１８に示される態様とは異なり、１つの覆蓋集合体１１０に、１つの担体３０を配設するだけでもよい。この場合には、例えば、吸引ファンを設け、場内処理水から発生した臭気ガスを吸い込み、集めて、その１つの担体３０へ供給することが好ましい。
【００８７】
担体３０は、例えば特許文献３、４に開示されたものであって、覆蓋集合体内に収まり易く、取扱いが容易なように、薄くカートリッジタイプのものが好ましい。例えば、（下水道施設の）処理規模が１０００００ｍ３／日のときに、このときの反応槽の滞留時間を８ｈｒ（時間）とすれば、反応槽の有効容積は概ね３３０００［ｍ３］（＝１０００００［ｍ３／日］×８［ｈｒ］／２４［ｈｒ］）となり、反応槽の高さを５［ｍ］とすれば、反応槽の有効面積は６６００［ｍ２］（＝３３０００［ｍ３］／５［ｍ］）となり、開口率５０［％］とすれば、反応槽の開口面積は３３００［ｍ２］（＝６６００［ｍ２］×０．５）である。そして、反応槽へ送る空気量は、１［ｍ３／ｍ３・ｈｒ］で送るとすれば、３３０００［ｍ３／ｈｒ］（＝３３０００［ｍ３］×１［ｍ３／ｍ３・ｈｒ］）となり、開口面積（覆蓋集合体の面積）あたりの空気量は０．００２７［ｍ３／ｍ２・ｓｅｃ］（＝１０［ｍ３／ｍ２・ｈｒ］＝３３０００［ｍ３／ｈｒ］／３３００［ｍ２］）であり、覆蓋集合体の単位あたりの面積を５［ｍ２］とすれば、覆蓋集合体の単位あたりの空気量は、０．０１４［ｍ３／ｓｅｃ］（＝０．００２７［ｍ３／ｍ２・ｓｅｃ］×５［ｍ２］）となる。このような条件において、担体３０の必要量は、接触時間２０［ｓｅｃ］とすれば０．２８［ｍ３］（＝０．０１４［ｍ３／ｓｅｃ］×２０［ｓｅｃ］）となる。担体３０の必要量は、空間速度ＳＶ（例えば２００［ｈｒ−１］）から求めてもよい。一方、担体３０の面積は、空塔速度（直線速度）を０．０２［ｍ／ｓｅｃ］とすると、０．７［ｍ２］（＝０．０１４［ｍ３／ｓｅｃ］／０．０２［ｍ／ｓｅｃ］）となる。このような空塔速度は、従来の生物脱臭装置では、（設計）基準外となる低い値である。このように空塔速度を低く設定すれば、低圧力損失にすることが出来る。そして、担体３０の高さ（厚さ）は、０．４［ｍ］（＝０．２８［ｍ３］／０．７［ｍ２］）となり、薄く、低圧力損失の、担体を実現することが出来る。又、このような担体であれば、覆蓋集合体に収容し易いカートリッジタイプの担体とすることが可能である。
【００８８】
本発明に係る覆蓋集合体の材質は、特に制限されるものではないが、設置作業を容易にする等の観点から軽量であることが好ましく、例えば、ガラス繊維強化樹脂（ＦＲＰ）等が好適な材料として挙げられる。
【００８９】
本発明に係る覆蓋集合体は、上記の何れかの覆蓋集合体を、当該覆蓋集合体の上面板２における傾斜の下側（下端側）が南東〜南〜南西の向き、好ましくは南向きとなるように配置して使用することが好ましい。
【実施例】
【００９０】
以下、本発明を実施例に基づいて更に詳細に説明するが、本発明はこれらの実施例に限定されるものではない。
【００９１】
（実施例１）図１及び図３に示される態様の覆蓋集合体を使用して、覆蓋集合体における各覆蓋の上面板における傾斜の下側が表１に示される設置方向となり、各覆蓋の上面板の傾斜角度が表１に示される値となるようにした場合の、太陽電池モジュールの年間発電量を、次のシミュレーション条件１にて算出した。結果を表１に示す。
【００９２】
［シミュレーション条件１］場所は東京都、太陽電池モジュールの容量は１０４０Ｗ（１３０Ｗ×８枚）、モジュール温度係数は−０．５％／℃、インバータ効率は９２％である。
【００９３】
【表１】
2011078862.tif 000003
【００９４】
（考察１）表１によれば、上面板の傾斜角度が同一の場合（０゜の場合を除く）には、覆蓋の上面板における傾斜の下側が南東〜南〜南西の向き、特に南向きとなるよう設置すると、他の向きに設置したときよりも、高い年間発電量が得られることがわかる。又、上面板の傾斜角度は、３０゜程度までは傾斜角度が大きくなるにしたがって年間発電量が増大するが、それを超えると減少に転じる傾向にあることがわかる。
【００９５】
（実施例２〜６）図１５に示される態様の覆蓋集合体を使用して、上面板の傾斜角度及び水平面部と傾斜面部にそれぞれ配設される太陽電池モジュールの数を変更して、太陽電池モジュールの年間発電量を、次のシミュレーション条件２にて算出した。結果を表１に示す。
【００９６】
［シミュレーション条件２］発電電力量は、非特許文献１の９１ページの記載に基づいて計算した。影の影響の検討は、非特許文献１の７６ページの記載に基づいて計算した。日射量データは、非特許文献２の２１４ページに記載されたものを採用した。場所は東京都、太陽電池モジュールの容量は１つあたり７５Ｗである。覆蓋集合体の（覆蓋の）長さＬは６．２ｍ（固定値）であり、これは覆うべき下水道施設の長さにあたる。高さＨは、１．４７ｍ（固定値）である。通路幅を３ｍとし、覆蓋集合体の設置間隔を３．３９ｍとし、影の長さが、最も長くなる冬至（影の倍率Ｋ＝２．３）において、覆蓋集合体の設置間隔より長くならないようにした。背面板傾斜角度θ２（点検口傾斜角）は、１０５°（固定値）であり、背面板水平距離Ｌ３（傾斜開始距離）は、０．３９ｍ（固定値）である。長さＬ、高さＨ、背面板傾斜角度θ２、背面板水平距離Ｌ３（傾斜開始距離）の他、表２中の、（覆蓋集合体の）傾斜面部水平距離Ｌ１、水平面部長さＬ２、傾斜面部長さＳ、上面板傾斜角度θ１（太陽光傾斜度）については、図１５を参照されたい。
【００９７】
【表２】
2011078862.tif 000004
【００９８】
（考察２）表２に示されるように、発電シミュレーションの結果、傾斜面（６つ）と水平面（３つ）を組み合わせた場合に、最も年間発電電力量が多くなった。この結果より、下水処理施設のように、設置条件が予め決まっている場合には、傾斜面のみに太陽電池モジュールを設置するよりも傾斜面と水平面を組み合わせた方がメリットを出せる場合があることがわかる。
【産業上の利用可能性】
【００９９】
本発明に係る覆蓋集合体及びその使用方法は、下水道施設の上方を覆うための手段として、好適に利用することが出来る。
【符号の説明】
【０１００】
１，１０１，１０２，１１０：覆蓋集合体、２：上面板、２ａ：（上面板の）水平面部、３：背面板、４：側面板、５：脱臭ダクト、６：太陽電池モジュール、７：内部空間、８：フランジ、１１：点検口、１２：開閉扉、１３：点検口、１４：開閉扉、１５：点検口、１６：開閉扉、１７：配線収容室、１８：臭気サンプリング口、１９：散水口、２０：ＬＥＤ照明、２１：開口部、２２：扉、２３：調整つまみ、３０：下水道施設、３１：下水道施設、３２：通路、３３：矢印、３４：矢印、４１：覆蓋集合体、４２：点検口、４３：開閉扉。
【図１】
2011078862.tif 000005
【図２】
2011078862.tif 000006
【図３】
2011078862.tif 000007
【図４】
2011078862.tif 000008
【図５】
2011078862.tif 000009
【図６】
2011078862.tif 000010
【図７】
2011078862.tif 000011
【図８】
2011078862.tif 000012
【図９】
2011078862.tif 000013
【図１０】
2011078862.tif 000014
【図１１】
2011078862.tif 000015
【図１２】
2011078862.tif 000016
【図１３】
2011078862.tif 000017
【図１４】
2011078862.tif 000018
【図１５】
2011078862.tif 000019
【図１６】
2011078862.tif 000020
【図１７】
2011078862.tif 000021
【図１８】
2011078862.tif 000022